(57)【要約】      （修正有）【課題】高温の鍋蓋が直接テーブルトップと接触するのを避ける効果を持つエアフライヤー及び鍋蓋の構造を提供する。【解決手段】主に鍋本体１０及び鍋蓋２０で構成する鍋のエアフライヤー及び鍋蓋の構造であり、鍋本体は食材スペース１１及び鍋本体に設ける接続部１２を具有する。鍋蓋は鍋蓋本体２１及び鍋蓋本体より突出するスタンド部品２２を含み、鍋蓋本体は食材スペースに対応して蓋合し、スタンド部品は接続部に対応して挿入する。スタンド部品により鍋蓋が直接テーブルトップに接触するのを避けることができる。【選択図】図２
0003188039.tif 000002
【実用新案登録請求の範囲】
【請求項１】
鍋本体１０と鍋蓋２０を含み、
鍋本体１０は一つの食材スペース１１及び該鍋本体１０に設ける一つの接続部１２を具有し、
鍋蓋２０は鍋蓋本体２１及び該鍋蓋本体２１より突出するスタンド部品２２を含み、該鍋蓋本体２１は該食材スペース１１に対応して蓋合し、該スタンド部品２２は該接続部１２に対応して挿入することを特徴とする鍋のエアフライヤーの構造。
【請求項２】
前記スタンド部品２２は該鍋蓋本体２１と該鍋本体１０の接触面に間隔をあけて配列する複数の凸柱２２１であり、該接続部１２は該食材スペース１１の外側縁に位置する複数の穴１２１に形成し、各穴１２１は間隔をあけて配列し、且つそれぞれ各凸柱２２１に対応して設置することで、各凸柱２２１は各穴１２１内に挿入できることを特徴とする請求項１記載の鍋のエアフライヤーの構造。
【請求項３】
前記各穴１２１は該食材スペース１１に連通することを特徴とする請求項２記載の鍋のエアフライヤーの構造。
【請求項４】
前記スタンド部品２２は該鍋蓋本体２１と該鍋本体１０の接触面に形成し、且つ間隔をあけて配列する複数のアーチ型プレイト２２２であり、該接続部１２は該食材スペース１１の外側縁に位置する複数のアーチ溝１２２に形成し、各アーチ溝１２２は間隔をあけて配列し、且つそれぞれ各アーチ型プレイト２２２に対応して設置することで、各アーチ型プレイト２２２が各アーチ溝１２２内に挿入できることを特徴とする請求項１記載の鍋のエアフライヤーの構造。
【請求項５】
前記スタンド部品２２は該鍋蓋本体２１と該鍋本体１０の接触面に形成するＣ型プレイト２２３であり、該接続部１２は該食材スペース１１の外側縁に位置するＣ型溝１２３に形成し、該Ｃ型プレイト２２３は該Ｃ型溝１２３内に挿入できることを特徴とする請求項１記載の鍋のエアフライヤーの構造。
【請求項６】
前記スタンド部品２２は該鍋蓋本体２１と該鍋本体１０の接触面に形成する複数の可動スタンド２２４であることを特徴とする請求項１記載の鍋のエアフライヤーの構造。
【請求項７】
本考案は更に一つの熱風供給モジュール３０を含み、該鍋蓋本体２１の内部に一つの設置室２１１を具有し、該熱風供給モジュール３０を該設置室２１１内に設置することを特徴とする請求項１記載の鍋のエアフライヤーの構造。
【請求項８】
鍋蓋２０の鍋蓋本体２１及び該鍋蓋本体２１より突出する一つのスタンド部品２２を含むことを特徴とするエアフライヤーの鍋蓋の構造。
【請求項９】
前記スタンド部品２２は間隔をあけて配列する複数の凸柱２２１であることを特徴とする請求項８記載のエアフライヤーの鍋蓋の構造。
【請求項１０】
前記スタンド部品２２は間隔をあけて配列する複数のアーチ型プレイト２２２であることを特徴とする請求項８記載のエアフライヤーの鍋蓋の構造。
【請求項１１】
前記スタンド部品２２は一つのＣ型プレイト２２３であることを特徴とする請求項８記載のエアフライヤーの鍋蓋の構造。
【請求項１２】
前記スタンド部品２２は複数の可動スタンド２２４であることを特徴とする請求項８記載のエアフライヤーの鍋蓋の構造。
【考案の詳細な説明】
【技術分野】
【０００１】
本考案は鍋のエアフライヤーの構造に関し、特に鍋のエアフライヤー及び当該鍋蓋の構造に関する。
【背景技術】
【０００２】
通常油を使って食物を揚げる過程において、食物が多くの油脂を吸収するため、食す人は過多な揚げ物を食べることになり、体に負担をかける上に健康的にもよくない。よって、従来の油を使って揚げる方法の代わりに、業者は熱気で食物を揚げる鍋を案出した。揚げ物の味わいを保ちつつ、食物が過多な油脂を吸収するのを防止する効果がある。
【０００３】
しかし、食物をエアフライヤーの中で調理完了し、鍋蓋を鍋本体から離すと、当該鍋蓋は尚も高温であるため、直接テーブルトップと接触することができず、鍋蓋を鍋蓋ラックに置く必要がある。しかし、別途鍋蓋ラックを購入或いは製造するのは、スペースを占用するほか、更に費用がかさむ欠点がある。また、エアフライヤーを違う場所で使用する際、鍋蓋ラックも一緒に移動しなければならないなど不便であるため、更なる改善が必要であった。
【先行技術文献】
【特許文献】
【０００４】
【特許文献１】特開２０１３−５１５号公報
【考案の概要】
【考案が解決しようとする課題】
【０００５】
前記公知構造の欠点を解決するため、本考案は鍋蓋本体に一つのスタンド部品を接続することで、鍋蓋が直接テーブルトップと接触するのを避ける効果を持つエアフライヤー及び当該鍋蓋の構造を提供することを主な課題とする。
【課題を解決するための手段】
【０００６】
上述の目的を解決するために、本考案はエアフライヤーの構造を提供するものである。それに含まれるのは一つの鍋本体及び一つの鍋蓋である。鍋本体は食材スペース及び鍋本体に設ける接続部を具有する。該鍋蓋は鍋蓋本体及び鍋蓋本体より突出するスタンド部品を含み、鍋蓋本体は食材スペースに対応して蓋合し、スタンド部品は接続部に対応して挿入する。
【０００７】
上述の目的を解決するために、本考案は鍋のエアフライヤーの鍋蓋の構造を提供するものである。それに含まれるのは一つの鍋蓋本体及び該鍋蓋本体より突出する一つのスタンド部品である。
【０００８】
本考案は更に鍋のエアフライヤーを使って食物を調理する際、鍋本体に設ける接続部のデザインを介し、スタンド部品が接続部内に挿入することができることで、鍋蓋がスムーズに鍋本体と密閉することができ、熱風供給モジュールが提供する熱風が鍋蓋と鍋本体の間の隙間から漏れるのを避けることができる。
【考案の効果】
【０００９】
本考案の鍋本体は食材スペース及び鍋本体に設ける接続部を具有し、鍋蓋は鍋蓋本体及び鍋蓋本体より突出するスタンド部品を含む。鍋蓋本体は食材スペースに対応して蓋合し、スタンド部品は接続部に対応して挿入するデザインにより、高温の鍋蓋が直接テーブルトップに接触するのを避けることができる。
【図面の簡単な説明】
【００１０】
【図１】本考案の第一実施例の立体図である。
【図２】本考案の第一実施例の立体分解図である。
【図３】本考案の第一実施例の使用状態図(一)である。
【図４】本考案の第一実施例の使用状態図(二)である。
【図５】本考案の第一実施例の使用状態図(三)である。
【図６】本考案の第二実施例の略図である。
【図７】本考案の第三実施例の略図である。
【図８】本考案の第四実施例の略図である。
【図９】本考案の第五実施例の略図である。
【図１０】図９の可動スタンドを下ろす略図である。
【考案を実施するための形態】
【００１１】
以下、本考案の構造と特徴および効果を、最良実施例と図面を参照しながら詳細に説明するが、本考案を制限するものではない。
【実施例１】
【００１２】
図１に示すのは、本考案の第一実施例の立体図である。本考案は鍋のエアフライヤー１の構造を提供し、それに含まれるのは主に一つの鍋本体１０及び一つの鍋蓋２０である。
【００１３】
図２に示すのは、本考案の第一実施例の立体分解図である。鍋本体１０に食材スペース１１を具有し、食物８(図３参照)を鍋本体１０の食材スペース１１内に置く。鍋本体１０に一つの接続部１２を設け、該接続部１２は鍋本体１０の食材スペース１１の外側縁に位置する複数の穴１２１に形成し、各穴１２１は間隔をあけて配列する。
【００１４】
鍋蓋２０は一つの鍋蓋本体２１及び一つのスタンド部品２２を含む。鍋蓋本体２１は鍋本体１０の食材スペース１１に対応して鍋本体１０に蓋合し、鍋蓋本体２１内部に一つの設置室２１１(図３参照)を具有する。
【００１５】
スタンド部品２２は鍋蓋本体２１より突出し、スタンド部品２２は鍋本体１０の接続部１２内に挿入することができる。スタンド部品２２は鍋蓋本体２１より突出する複数の凸柱２２１であり、各凸柱２２１はそれぞれ鍋蓋本体２１と鍋本体１０が互いに接触する接触面に位置する。各凸柱２２１は間隔をあけて配列し、且つそれぞれ各穴１２１に対応して設けているため、各凸柱２２１は各穴１２１内に挿入することができる。
【００１６】
エアフライヤー１は更に一つの熱風供給モジュール３０を含み、該熱風供給モジュール３０を鍋蓋本体２１の設置室２１１内に設置する。熱風供給モジュール３０は一つの送風ファン、一つの駆動器及び一つの加熱器を含む。
【００１７】
図３及び図４に示すのは、それぞれ本考案の第一実施例の使用状態図(一)及び使用状態図(二)である。使用する際、まず食物８を鍋本体１０の食材スペース１１内に入れてから上蓋２０を食材スペース１１に合わせて鍋本体１０に蓋合し、且つ各凸柱２２１が各穴１２１内に対応して挿入してから、エアフライヤー１を作動する。該熱風供給モジュール３０の加熱器により送風ファンの周りの空気が熱い空気に変わり、その後駆動器の駆動により送風ファンが運転することで、送風ファンの周りの熱い空気が熱風に変わって鍋本体１０の食材スペース１１内に吹き入れるため、熱風が食材スペース１１内の食物８に対し、加熱を行う。
【００１８】
図５に示すのは、本考案の第一実施例の使用状態図(三)である。食材スペース１１内の食物８の加熱が完了するとき、鍋蓋２０を鍋本体１０から離し、鍋蓋２０をテーブルトップ９に置けるため、便利に鍋本体１０の食材スペース１１内から食物８を取り出すことができる。
【００１９】
その時、鍋蓋２０をテーブルトップ９に置きたい場合、スタンド部品２２の各凸柱２２１によって、テーブルトップ９に立てることができ、高温の鍋蓋２０が直接テーブルトップ９と接触するのを避けることができる。従来の鍋蓋スタンドの代わりとなることができ、鍋蓋スタンドを購入或いは製造するコストを節約することができる。
【００２０】
また、エアフライヤー１を使って食物８を調理する際、図４、図６を参照すれば、鍋本体１０に設ける接続部１２のデザインにより、スタンド部品２２の各凸柱２２１を接続部１２の各穴１２１内に挿入することができることで、鍋蓋２０がスムーズに鍋本体１０と密閉することができるため、熱風供給モジュール３０が作り出す熱風が鍋本体１０と鍋蓋２０の間の隙間から漏れるのを避けることができる。
【実施例２】
【００２１】
図６に示すのは本考案の第二実施例の略図である。前記実施例と主な違いは、接続部１２の各穴１２１は鍋本体１０の食材スペース１１と連通することである。
【００２２】
それによりスタンド部品２２の各凸柱２２１は接続部１２の各穴１２１内に挿入することができることで、鍋蓋２０はスムーズに鍋本体１０と密閉することができる。
【実施例３】
【００２３】
図７に示すのは、本考案の第三実施例の略図である。前記各実施例と主な違いは、スタンド部品２２は鍋蓋本体２１から突出した複数のアーチ型プレイト２２２である。各アーチ型プレイト２２２はそれぞれ鍋蓋本体２１と鍋本体１０が互いに接触する接触面に位置し、各アーチ型プレイト２２２は間隔をあけて配列している。接続部１２は鍋本体１０の食材スペース１１の外側縁に位置する複数のアーチ溝１２２に形成し、各アーチ溝１２２は鍋本体１０の鍋蓋本体２１に近い一端の面に位置し、各アーチ溝１２２は間隔をあけて配列し、且つそれぞれ各アーチ型プレイト２２２に対応して設置し、各アーチ型プレイト２２２は各アーチ溝１２２内に挿入することができる。それによりスタンド部品２２の各アーチ型プレイト２２２の支えによってテーブルトップ９に立つことができ、高温の鍋蓋２０が直接テーブルトップ９(図５参照)と接触するのを避けることができる。従来技術の鍋蓋スタンドの代わりとなることができ、スタンドを購入或いは製造するコストを節約することができる。
【００２４】
エアフライヤー１を使って食物８を調理する際、スタンド部品２２の各アーチ型プレイト２２２が接続部１２の各アーチ溝１２２内に挿入することができるため、鍋蓋２０がスムーズに鍋本体１０と密閉することができる。
【実施例４】
【００２５】
図８に示すのは、本考案の第四実施例の略図である。前記各実施例と主な違いは、スタンド部品２２は鍋蓋本体２１より突出して形成するＣ型プレイト２２３であり、Ｃ型プレイト２２３は鍋蓋本体２１と鍋本体１０が互いに接触する接触面に位置する。接続部１２は鍋本体１０の食材スペース１１の外側縁に位置するＣ型溝１２３に形成する。Ｃ型溝１２３は鍋本体１０の鍋蓋本体２１に近い一端の面に位置し、Ｃ型溝１２３はＣ型プレイト２２３に対応して設置し、Ｃ型プレイト２２３はＣ型溝１２３の中に挿入することができるため、スタンド部品２２のＣ型プレイト２２３を通じてテーブルトップ９に立て、高温の鍋蓋２０が直接テーブルトップ９に接触するのを避けることができる。従来技術の鍋蓋スタンドの代わりとなることができ、スタンドを購入或いは製造するコストを節約することができる。
【００２６】
エアフライヤー１を使って食物８を調理する際、スタンド部品２２のＣ型プレイト２２３が接続部１２のＣ型溝１２３内に挿入することができるため、鍋蓋２０がスムーズに鍋本体１０と密閉することができる。
【実施例５】
【００２７】
図９及び図１０に示すのは、本考案の第五実施例の略図である。前記各実施例と主な違いは、スタンド部品２２は鍋蓋本体２１に形成する複数の可動スタンド２２４である。各可動スタンド２２４は使用しない場合は、図９に示すように平たく鍋蓋本体２１の接触面にしまい込むことができる。鍋蓋本体２１を置くのに必要な際には、各可動スタンド２２４を下向きに引き出すと、図１０のように支えとなる。
【符号の説明】
【００２８】
<本考案>
１  エアフライヤー
１０  鍋本体
１１  食材スペース
１２  接続部
１２１  穴
１２２  アーチ溝
１２３  Ｃ型溝
２０  鍋蓋
２１  鍋蓋本体
２１１  設置室
２２  スタンド部品
２２１  凸柱
２２２  アーチ型プレイト
２２３  Ｃ型プレイト
２２４  可動スタンド
３０  熱風供給モジュール
８  食物
９  テーブルトップ
【図１】
0003188039.tif 000003
【図２】
0003188039.tif 000004
【図３】
0003188039.tif 000005
【図４】
0003188039.tif 000006
【図５】
0003188039.tif 000007
【図６】
0003188039.tif 000008
【図７】
0003188039.tif 000009
【図８】
0003188039.tif 000010
【図９】
0003188039.tif 000011
【図１０】
0003188039.tif 000012